(57)【特許請求の範囲】
【請求項１】
第１搬送路及び第２搬送路が内部に設けられた筐体と、
上記筐体内に設けられており、シートを支持する第１支持面を有する第１給送トレイと、
上記筐体内において上記第１給送トレイを下方から支持する支持部材と、
上記筐体内であって、上記第１給送トレイにおける上記第１支持面の上方に設けられており、当該第１支持面に支持されるシートを第１向きに繰り出す第１給送部と、
上記第１給送部によって上記第１給送トレイから繰り出されたシートの先端と当接して当該シートを上記第１搬送路へ案内する第１ガイド面を有する第１ガイド部材と、
上記筐体内における上記支持部材の下方に設けられており、シートを支持する第２支持面を有する第２給送トレイと、
上記筐体内であって、上記第２給送トレイにおける上記第２支持面の上方に設けられており、当該第２支持面に支持されるシートを上記第１向きへ繰り出す第２給送部と、
上記第２給送部から繰り出されるシートの先端と当接して当該シートを上記第２搬送路へ案内する第２ガイド面を有する第２ガイド部材と、
上記支持部材の下面に取り付けられた金属製のフレームと、を備え、
上記支持部材には、上記第１ガイド面に対して上記第１向きに離れた位置において、上記第１ガイド部材を支持し、且つ、上記第２搬送路の少なくとも一部を区画する第３ガイド面を有するガイド部が設けられており、
上記フレームは、上記第１向きにおいて、上記第１給送部によるシートの給送位置に対応する位置にある第１フレーム部と、上記第３ガイド面の下端部より上記第１向きの位置にある第２フレーム部と、を有しており、
上記第１ガイド面、上記第２ガイド面、及び上記第３ガイド面は、各上端が各下端より上記第１向き且つ上方に位置する傾斜面であり、
上記第１ガイド面及び上記第２ガイド面のそれぞれが、上記第１向きに対してなす鋭角である傾斜角度が等しく、
上記第１ガイド部材の上端と、上記第２ガイド部材の上端とが上記第１向きにおいて同じ位置であるシート搬送装置。
【請求項２】
上記第１フレーム部の少なくとも一部は、上記給送位置の直下に対応する位置にある請求項１に記載のシート搬送装置。
【請求項３】
上記第１フレーム部は、上記支持部材の下面に沿って設けられており、上記第１フレーム部の上記第１向きの端部から上記第２フレーム部が屈曲して設けられている請求項１又は２に記載のシート搬送装置。
【請求項４】
上記フレームにおける上記第１向きの端部に上記第２フレーム部が設けられており、
上記フレームは、上記第１フレーム部における上記第２フレーム部が設けられる端部とは反対の端部に位置する第３フレーム部を有しており、
上記第３フレーム部は、上記第１フレーム部に対して上方に屈曲した状態である請求項１から３のいずれかに記載のシート搬送装置。
【請求項５】
上記第２フレーム部の上端は、上記第１ガイド部材の下端よりも上方に位置する請求項１から４のいずれかに記載のシート搬送装置。
【請求項６】
上記フレームに取り付けられており、上記第２搬送路を搬送されるシートを案内する第３ガイド部材が設けられている請求項１から５のいずれかに記載のシート搬送装置。
【請求項７】
請求項１から６のいずれかに記載の搬送装置と、
上記第１搬送路及び上記第２搬送路をそれぞれ搬送されるシートに画像を記録する記録部と、を備える画像記録装置。
【発明の詳細な説明】
【技術分野】
【０００１】
本発明は、搬送路に沿ってシートを搬送するシート搬送装置、及び当該シート搬送装置を備えており、シート搬送装置によって搬送されるシートに画像を記録する画像記録装置に関する。
【背景技術】
【０００２】
筐体の内部にシートが搬送される搬送路を有するシート搬送装置が公知である。シート搬送装置は、プリンタや複合機などの画像記録装置に採用される。シート搬送装置を有する画像記録装置では、シート搬送装置によって搬送路を搬送されるシートに画像が記録される。
【０００３】
特許文献１には、シート収納体が複数段に設けられた画像記録装置が開示されている。各シート収容体は、装置本体に対して着脱可能である。装置本体には、各シート収納体から繰り出されるシートを案内する斜面部材が設けられている。各斜面部材によって案内されるシートは、上下方向に沿って設けられた搬送路内を上方へ搬送される。
【先行技術文献】
【特許文献】
【０００４】
【特許文献１】特開２００２−８７６２１号公報
【発明の概要】
【発明が解決しようとする課題】
【０００５】
特許文献１に開示された画像記録装置では、各シート収納体のそれぞれに対して、各シート収容体内のシートを給紙するための給紙ローラが設けられている。すなわち、最上位の第１シート収納体に対して第１給紙ローラが設けられ、第１シート収納体の下方に配置された第２シート収納体に対して第２給紙ローラが設けられる。第１給紙ローラは、第１シート収納体の上方に配置され、第２給紙ローラは、第２シート収納体の上方に配置される。このために、例えば、第２給紙ローラは、第１シート収納体が支持されるフレーム部分に支持される。
【０００６】
このような構成では、第１給紙ローラによって第１シート収納体内のシートを給紙する場合に、第１シート収納体を下方から支持するフレーム部分に、第１給紙ローラによる押圧力が加わる。このために、当該フレーム部分は、下方の第２給紙ローラを支持することができる強度だけでなく、上方の第１給紙ローラから加わる押圧力によって変形して給紙性能が不安定とならないように、変形しない強度も必要になる。
【０００７】
上記フレーム部分を厚くすると、当該フレーム部分の強度は増加する。しかしながら、当該フレーム部分を厚くすると、上下方向に沿ったシートの搬送路が長くなり、装置が大型化することになる。
【０００８】
搬送路におけるシートの搬送距離が長くなると、シートの搬送時間が長くなる。これにより、画像記録装置における画像記録処理の作業効率が低下することになる。これに対して、シートの搬送時間を短縮するために、シートの搬送速度を増加すると、大きな騒音が生じるおそれがある。
【０００９】
本発明は、上記課題に鑑みてなされたものであり、その目的は、シートが支持される複数のトレイを有する構成において、シートの搬送路が長くなって装置が大型化することを抑制できるシート搬送装置を提供することにある。
【課題を解決するための手段】
【００１０】
(1)  本発明に係るシート搬送装置は、第１搬送路及び第２搬送路が内部に設けられた筐体と、上記筐体内に設けられており、シートを支持する第１支持面を有する第１給送トレイと、上記筐体内において上記第１給送トレイを下方から支持する支持部材と、上記筐体内であって、上記第１給送トレイにおける上記第１支持面の上方に設けられており、当該第１支持面に支持されるシートを第１向きに繰り出す第１給送部と、上記第１給送部によって上記第１給送トレイから繰り出されたシートの先端と当接して当該シートを上記第１搬送路へ案内する第１ガイド面を有する第１ガイド部材と、上記筐体内における上記支持部材の下方に設けられており、シートを支持する第２支持面を有する第２給送トレイと、上記筐体内であって、上記第２給送トレイにおける上記第２支持面の上方に設けられており、当該第２支持面に支持されるシートを上記第１向きへ繰り出す第２給送部と、上記第２給送部から繰り出されるシートの先端と当接して当該シートを上記第２搬送路へ案内する第２ガイド面を有する第２ガイド部材と、上記支持部材の下面に取り付けられた金属製のフレームと、を備え、上記支持部材には、上記第１ガイド面に対して上記第１向きに離れた位置において、上記第１ガイド部材を支持し、且つ、上記第２搬送路の少なくとも一部を区画する第３ガイド面を有するガイド部が設けられており、上記フレームは、上記第１向きにおいて、上記第１給送部によるシートの給送位置に対応する位置にある第１フレーム部と、上記第３ガイド面の下端部より上記第１向きの位置にある第２フレーム部と、を有する。
【００１１】
本構成によれば、筐体内の支持部材には、第１給送部によるシートの給送位置に対応する位置に、第１給送部からの押圧力が加わる。この押圧力が加わる位置に、金属製のフレームの第１フレーム部があるために、第１フレーム部によって支持部材が補強される。これにより、支持部材を厚くしなくてもよい。また、支持部材に設けられたガイド部は、第１ガイド部材を支持する構成であることから、第１給送トレイから給送されるシートが、第１ガイド部材に当接すると、支持部材のガイド部に負荷が加わる。この場合、ガイド部における下部が第２フレーム部によって補強されることから、第２フレーム部によって第１ガイド部材が安定的に支持される。これによっても、支持部材を薄くすることができ、装置が大型化することが抑制される。しかも、第１搬送路及び第２搬送路が長くなることも抑制されるために、第１搬送路及び第２搬送路のそれぞれにおけるシートの搬送時間が長くなるおそれがなく、また、シートの搬送速度を速くすることによって大きな騒音が発生するおそれもない。
【００１２】
(2)  好ましくは、上記第１フレーム部の少なくとも一部は、上記給送位置の直下に対応する位置にある。この場合、支持部材には、第１給送部から比較的大きな力が加わるが、支持部材は、第１フレーム部によって安定的に支持される。
【００１３】
(3)  好ましくは、上記第１フレーム部は、上記支持部材の下面に沿って設けられており、上記第１フレーム部の上記第１向きの端部から上記第２フレーム部が屈曲して設けられている。本構成により、第１フレーム部及び第２フレームにより、支持部材における給送位置に対応する部分及びガイド部を確実に補強することができる。
【００１４】
(4)  好ましくは、上記第１ガイド面、上記第２ガイド面、及び上記第３ガイド面は、各上端が各下端より上記第１向き且つ上方に位置する傾斜面である。本構成により、装置が第１向きに広がることが抑制される。
【００１５】
(5)  好ましくは、上記第１ガイド面及び上記第２ガイド面のそれぞれが、上記第１向きに対してなす鋭角である傾斜角度が等しい。本構成によっても、装置が第１向きに広がることを抑制できる。
【００１６】
(6)  好ましくは、上記第１ガイド部材の上端と、上記第２ガイド部材の上端とが上記第１向きにおいて同じ位置である。本構成によっても、装置が第１向きに広がることを抑制できる。
【００１７】
(7)  好ましくは、上記フレームにおける上記第１向きの端部に上記第２フレーム部が設けられており、上記フレームは、上記第１フレーム部における上記第２フレーム部が設けられる端部とは反対の端部に位置する第３フレーム部を有しており、上記第３フレーム部は、上記第１フレーム部に対して上方に屈曲した状態である。本構成では、第３フレーム部によって支持部材がさらに補強される。これにより、支持部材をさらに薄くすることができ、装置の大型化をさらに抑制できる。
【００１８】
(8)  好ましくは、上記第２フレーム部の上端は、上記第１ガイド部材の下端よりも上方に位置する。本構成により、装置が上下方向に大きくなることが抑制される。
【００１９】
(9)  好ましくは、上記フレームに取り付けられており、上記第２搬送路を搬送されるシートを案内する第３ガイド部材が設けられている。本構成では、第３ガイド部材によって、シートは第２搬送路を安定的に搬送される。
【００２０】
(10)  本発明の画像記録装置は、上記搬送装置と、上記第１搬送路及び上記第２搬送路をそれぞれ搬送されるシートに画像を記録する記録部と、を備える。
【発明の効果】
【００２１】
本発明によれば、シートが支持される複数のトレイを有する構成において、装置が大型化することを抑制でき、また、シートの搬送時間が長くなることも抑制できる。
【図面の簡単な説明】
【００２２】
【図１】図１は、複合機１０の斜視図である。
【図２】図２は、複合機１０の内部の構成を説明するための模式図である。
【図３】図３は、第１ガイド部材６４の斜視図である。
【図４】図４は、複合機の後部における縦断面図である。
【図５】図５は、図４において一点鎖線で囲まれた部分の拡大図である。
【図６】図６は、第３ガイド部材６９が取り外された状態で、第１ガイド部材６４を支持する第１筐体６０の斜視図である。
【図７】図７は、第１ガイド部材６４が取り外された状態の第１筐体６０の一部の拡大図である。
【図８】図８は、支持部材６７のガイド部６７Ｂ及びその前方部分の斜視図である。
【発明を実施するための形態】
【００２３】
以下、本発明の実施形態について説明する。なお、以下に説明される実施形態は本発明の一例にすぎず、本発明の要旨を変更しない範囲で、本発明の実施形態を適宜変更できることは言うまでもない。
【００２４】
［複合機１０の全体構成］
図１に示される複合機１０（画像記録装置の一例）は、シート搬送装置を備えており、プリント機能、ファクシミリ機能、コピー機能等の各種機能を有する。プリント機能は、記録紙１２（「シート」の一例、図２参照）に画像を記録する機能である。
【００２５】
なお、複合機１０が使用可能に設置された図１の状態を基準として、複合機１０における上下方向４と、前後方向６と、左右方向８とが、それぞれ、図１に示されるように定義される。上下方向４は、重力が作用する向き及び反対向きに対応している。また、以下においては、左右方向８を「幅方向８」と称する。
【００２６】
図１に示されるように、複合機１０（画像記録装置の一例）は、概ね直方体に形成されている。複合機１０は、第１給送トレイ６１が内部に設けられた第１筐体６０と、第２給送トレイ７１が内部に設けられた第２筐体７０とを有する。第１筐体６０及び第２筐体７０は、それぞれ、概ね直方体形状であり、第１筐体６０は第２筐体７０上に装着されている。第１筐体６０は、複合機１０における上部の外観を構成するものであり、第２筐体７０は、複合機１０における下部の外観を構成するものである。
【００２７】
第１筐体６０の前面６０Ａには、第１開口部６０Ｂが形成されている。第１筐体６０内に設けられた第１給送トレイ６１は、第１開口部６０Ｂを通して、引き出し可能である。
【００２８】
第２筐体７０の前面７０Ａには、第２開口部７０Ｂが形成されている。第２筐体７０内に設けられた第２給送トレイ７１は、第２開口部７０Ｂを通して、引き出し可能である。
【００２９】
図２は、複合機１０における後端部の縦断面を示す概略図である。図２においては、主要部の構成だけを模式的に示しており、第１筐体６０及び第２筐体７０の詳細については後述される。
【００３０】
図２に示されるように、第１筐体６０内の第１給送トレイ６１及び第２筐体７０内の第２給送トレイ７１の内部には、それぞれ、記録紙１２が、上下方向４に積み重ねられた状態で収容される。第１給送トレイ６１内の記録紙１２は、第１給送トレイ６１の下部に設けられた第１支持面６１Ａ上に支持される。第２給送トレイ７１内の記録紙１２は、第２給送トレイ７１の第２支持面７１Ａ上に支持される。
【００３１】
第１給送トレイ６１における後端部の上方には、第１給送部６３が設けられている。第１給送部６３は、第１筐体６０の後端に近接して配置された第１給送ローラ６３Ａを有する。第１給送ローラ６３Ａは、軸線が幅方向８に沿った状態で、第１支持アーム６３Ｂの一端部（先端部）に回転可能に支持されている。第１支持アーム６３Ｂの他端部（基端部）は、第１給送ローラ６３Ａの軸線に平行に配置された第１支持軸６３Ｃに回動可能に支持されている。第１支持アーム６３Ｂは、第１支持軸６３Ｃから後方に向かって延出されている。
【００３２】
第１給送ローラ６３Ａが記録紙１２の上方に位置された状態で、第１支持アーム６３Ｂの先端部が、第１支持軸６３Ｃを中心として下方に回動されると、第１給送ローラ６３Ａは、第１給送トレイ６３内に収容された最上位置の記録紙１２に当接する。このような状態で第１給送ローラ６３Ａが回転されると、複数枚の記録紙１２のうち第１給送ローラ６３Ａと当接している最上位置の記録紙１２が、後方へ繰り出される。なお、以下においては、第１給送ローラ６３Ａによって記録紙１２が繰り出される向きを「第１向き４８」とする。
【００３３】
なお、第１支持面６１Ａにおける第１給送ローラ６３Ａの直下の位置は、第１給送ローラ６３Ａによって第１給送トレイ６１内の記録紙１２が給送される位置に対応する。このことから、以下においては、第１給送部６３における第１給送ローラ６３Ａによる記録紙１２の給送位置を「給送位置６１Ｃ」とする。
【００３４】
第１給送トレイ６１の後方には、第１ガイド部材６４が設けられている。図３に示されるように、第１ガイド部材６４は、概ね帯板状であり、幅方向８に沿って、第１給送トレイ６１の幅方向８のほぼ全域に亘って配置されている。第１ガイド部材６４の前面は、第１給送トレイ６１から繰り出される記録紙１２を上方且つ後方に案内する第１ガイド面６４Ａになっている。第１ガイド部材６４は、第１ガイド面６４Ａの上端６４Ｎが下端６４Ｋより後方に位置するように傾斜した状態で、後述されるように、第１筐体６０の支持部材６７（図４参照）によって支持されている。
【００３５】
なお、図４において，第１ガイド面６４Ａの傾斜方向に沿った「第１傾斜線Ｌ１」が示されている。また、第１ガイド面６４Ａの第１向き４８に対してなす鋭角が「傾斜角度θ１」として示されている。
【００３６】
図３に示されるように、第１ガイド面６４Ａには、幅方向８の中央部に設けられた中央ガイド面６４Ｂと、この中央ガイド面６４Ｂの左右にそれぞれ配置された端部ガイド面６４Ｃとを有する。中央ガイド面６４Ｂと左右の各端部ガイド面６４Ｃとの間には、第１ガイド面６４Ａの傾斜方向に沿って後方に凹んだ溝部６４Ｄがそれぞれ設けられている。各溝部６４Ｄにおける底面６４Ｅは、上部を除いて第１ガイド面６４Ａに平行になっている。
【００３７】
第１ガイド部材６４の上端部には、４つの上部コロ６４Ｆが設けられている。４つの上部コロ６４Ｆのうちの２つは、中央ガイド面６４Ｂにおける幅方向８の中央部に対して左右にそれぞれ配置されている。他の２つの上部コロ６４Ｆは、各端部ガイド面６４Ｃの上端部に設けられている。各上部コロ６４Ｆの回転軸６４Ｇは、幅方向８に沿った状態で第１ガイド面６４Ａに回転可能に支持されている。
【００３８】
第１ガイド部材６４における上下方向４の中程には、４つの中央コロ６４Ｈが設けられている。各中央コロ６４Ｈは、４つの上部コロ６４Ｆの下方にそれぞれ配置されている。中央コロ６４Ｈの回転軸６４Ｊも、幅方向８に沿った状態で第１ガイド面６４Ａに回転可能に支持されている。
【００３９】
第１給送部６３によって繰り出される記録紙１２は、第１ガイド部材６４の第１ガイド面６４Ａに沿って上方へ案内される。中央コロ６４Ｈ及び上部コロ６４Ｆは、第１ガイド面６４Ａに沿って案内される記録紙１２が接することにより回転する。これにより、記録紙１２は、第１ガイド面６４Ａとは大きな摩擦力が作用することなく、第１ガイド面６４Ａに沿って安定的に上方へ案内される。
【００４０】
図２に示されるように、第１ガイド部材６４の上方には、第１ガイド部材６４によって案内された記録紙１２が搬送される第１搬送路５１が設けられている。第１搬送路５１は、第１ガイド部材６４から上方へ向かって延び、さらに後方に突出するように湾曲している。第１搬送路５１の上部における湾曲部分を第１湾曲路５１Ａと称する。第１ガイド部材６４によって案内される記録紙１２は、第１搬送路５１の下部においては上方へ搬送され、その後、第１湾曲路５１Ａにおいて前方へ搬送される。なお、第１搬送路５１における記録紙１２の搬送向きを「搬送向き４１」とする。
【００４１】
図２に示されるように、第２給送トレイ７１上には、第２給送部７３が設けられている。第２給送部７３は、第１給送部６３の下方に配置されていること以外は、第１給送部６３と同様の構成である。すなわち、第２給送部７３は、第２給送ローラ７３Ａと、第２支持アーム７３Ｂとを有し、第２支持アーム７３Ｂが第２支持軸７３Ｃに回動可能に支持されている。第２支持アーム７３Ｂは、第２支持軸７３Ｃから後方かつ下方に向かって延出されている。
【００４２】
第２給送トレイ７１の後方には、第２ガイド部材７４が設けられている。第２ガイド部材７４は、第１ガイド部材６４と同様に、前方に向けられた第２ガイド面７４Ａにより、第２給送部７３によって第１向き４８へ繰り出される記録紙１２が上方へ案内される。第２ガイド部材７４は、第１ガイド部材６４と同様の構成である。
【００４３】
図４に示されるように、第２ガイド部材７４は、第２ガイド面７４Ａの上端７４Ｎが下端７４Ｋより後方に位置するように傾斜した状態で、第２筐体７０に支持されている。なお、図４において，第２ガイド面７４Ａの傾斜方向に沿った「第２傾斜線Ｌ２」が示されている。また、第２ガイド面７４Ａの第１向き４８に対してなす鋭角が「傾斜角度θ２」として示されている。第１ガイド面６４Ａの傾斜角度θ１と、第２ガイド面７４Ａの傾斜角度θ２とは等しい。第１ガイド面６４Ａの下端６４Ｋと第２ガイド面７４Ａの下端７４Ｋとは、前後方向６においてほぼ同じ位置にあり、第１ガイド面６４Ａの上端６４Ｎと第２ガイド面７４Ａの上端７４Ｎは、前後方向６においてほぼ同じ位置にある。
【００４４】
図２に示されるように、第２給送トレイ７１の後端部上には、第２給送部７３によって繰り出される記録紙１２が搬送される第２搬送路５２が設けられている。第２搬送路５２は、第１搬送路５１の後方、すなわち湾曲外方に位置する。第２搬送路５２の上端部は、後方に突出するように湾曲した第２湾曲路５２Ａになっている。第２湾曲路５２Ａにおける記録紙１２の搬送向き４２の下流端は、第１搬送路５１の第１湾曲路５１Ａにおける搬送向き４１の下流において第１搬送路５１と接続されている。第２ガイド部材７４によって案内される記録紙１２は、第２搬送路５２の下部においては上方へ搬送され、次いで、第２湾曲路５２Ａにおいて前方へ搬送され、その後、第１搬送路５１へ案内される。
【００４５】
複合機１０の背面には、カバー部材８０が配置されている。カバー部材８０は、複合機の後端部に設けられた背面開口部６０Ｅ（図６参照）を開閉する。カバー部材８０は、上下方向４に沿った起立位置では、背面開口部６０Ｅを塞ぐ状態である。カバー部材８０の下部は、幅方向８に沿って配置された軸体６６に回動可能に支持されている。これにより、カバー部材８０は、上下方向４に沿った起立位置から、回動先端である上端が、後向き且つ下向きに回動され、カバー部材８０は、背面開口部６０Ｅを開放する倒伏位置になる。カバー部材８０が倒伏位置になると、第１筐体６０及び第２筐体７０の内部が、背面開口部６０Ｅを通して外部に露出される。
【００４６】
カバー部材８０には、背面開口部６０Ｅを覆うことが可能な板状のカバー本体部８１を有する。当該カバー本体部８１の前面は、第２搬送路５２の後方を区画する。カバー本体部８１には、上下方向４に沿った第１部材８２が取り付けられている。第１部材８２は、カバー本体部８１の前方に間隔を空けた状態で配置されており、第１部材８２の後面が、第２搬送路５２の前方を区画し、第１部材８２の前面が、第１搬送路５１の後方を区画する。第１部材８２及び第２部材８３は、カバー本体部８１と一体となって回動されるために、カバー部材８０が倒伏位置になると、第１搬送路５１及び第２搬送路５２の一部が背面開口部６０Ｅを介して外部に露出される。
【００４７】
第１搬送路５１における搬送向き４１の下流端は、第１筐体６０内を前後方向６に沿って延びる上部搬送路５３と連続している。上部搬送路５３においては、第１搬送路５１及び第２搬送路５２のそれぞれを搬送された記録紙１２が前方へ搬送される。
【００４８】
上部搬送路５３には、搬送向き４１に沿って、第１搬送ローラ部２１、プラテン２２及び記録部３０、第２搬送ローラ部２３が配置されている。
【００４９】
記録紙１２を前方へ搬送する第１搬送ローラ部２１は、軸線が幅方向８に沿って配置された第１搬送ローラ２１Ａと、第１搬送ローラ２１Ａの下方に配置された複数のピンチローラ２１Ｂとを有する。
【００５０】
第１搬送ローラ２１Ａは、第１搬送路５１又は第２搬送路５２を通過した記録紙１２の上面である第１面に当接可能に配置されている。第１搬送ローラ２１Ａは、上部搬送路５３における幅方向８のほぼ全域に亘る長さを有する。複数のピンチローラ２１Ｂは、幅方向８に一定の間隔が空けられた状態で、それぞれが第１搬送ローラ２１Ａに接した状態で設けられている。このような第１搬送ローラ部２１は、第１搬送ローラ２１Ａが回転されると、第１搬送ローラ２１Ａに接した各ピンチローラ２１Ｂが第１搬送ローラ２１Ａの回転に追従して回転する。
【００５１】
記録紙１２が第１搬送ローラ部２１へ搬送される場合には、第１搬送ローラ２１Ａは回転が停止される。このような状態で、記録紙１２の先端が第１搬送ローラ２１Ａ及びピンチローラ２１Ｂが当接している箇所に当接されつつ、記録紙１２における搬送向き４１の上流に位置する端部が搬送向き４１へ搬送されることによって、記録紙１２が第１搬送ローラ２１Ａ及びピンチローラ２１Ｂに押し付けられる。これにより、記録紙１２の先端が第１搬送ローラ２１Ａ及びピンチローラ２１Ｂの当接箇所に沿った状態になり、記録紙１２の斜行状態が解消される。その後、第１搬送ローラ２１Ａが回転されると、記録紙１２が第１搬送ローラ２１Ａ及びピンチローラ２１Ｂに挟持（ニップ）されて、プラテン２２上に搬送される。
【００５２】
プラテン２２は、第１搬送ローラ部２１によって搬送される記録紙１２を、前後方向６及び幅方向８に沿った状態で下方から支持する。記録部３０は、インクジェット方式で、プラテン２２に支持された記録紙１２に画像を記録する。画像が記録されるときには、第１搬送ローラ部２１の回転が停止されて、記録紙１２はプラテン２２上に停止する。そして、停止した記録紙１２に対して記録部３０がインクを選択的に吐出することによって、１パス分の画像が記録紙１２に記録される。その後、第１搬送ローラ部２１が回転されることによって、記録紙１２が次の１パス分だけ搬送向き４１へ搬送されると、第１搬送ローラ部２１が停止されて記録紙１２が停止する。このとき、記録部３０は、記録紙１２において、先に画像記録を行ったパスより搬送向き４１の上流に位置する。これが繰り返されることによって、記録紙１２の全体に亘って画像記録が行われる。
【００５３】
第２搬送ローラ部２３は、プラテン２２に支持された記録紙１２を前方へ搬送する。第２搬送ローラ部２３は、プラテン２２より前方に位置する。第２搬送ローラ部２３は、軸線が幅方向８に沿って配置された第２ローラ軸２３Ｂと、第２ローラ軸２３Ｂに取り付けられた複数の第２搬送ローラ２３Ａと、第２搬送ローラ２３Ａの上方に配置された複数の第１拍車ローラ２３Ｃとを有する。
【００５４】
第２ローラ軸２３Ｂが回転されると、第２搬送ローラ２３Ａのそれぞれが、第２ローラ軸２３Ｂと一体に回転する。第１拍車ローラ２３Ｃのそれぞれは、第２搬送ローラ２３Ａの回転に追従して回転する。プラテン２２上の記録紙１２が、回転状態の第２搬送ローラ２３Ａ及び第１拍車ローラ２３Ｃの間に搬送されると、記録紙１２は、第２搬送ローラ２３Ａ及び第１拍車ローラ２３Ｃに挟持されて前向きに搬送される。
【００５５】
第１筐体６０には、上部搬送路５３の下流端の下方から前方に延出された排出トレイ２７が設けられている。排出トレイ２７は、第１給送トレイ６１の上方に位置する。第１面に画像が記録された記録紙１２は、第２搬送ローラ部２３を搬送向き４１へ通過することにより、排出トレイ２７上に排出される。排出トレイ２７は、複数枚の記録紙１２が積載状態で支持可能である。
【００５６】
［第１筐体６０］
図６に示されるように、第１筐体６０は、第１筐体６０の底部を構成する支持部材６７を有する。支持部材６７は、第１給送トレイ６１の全体を下方から支持する支持本体部６７Ａと、支持本体部６７Ａにおける第１向き４８の端部に設けられたガイド部６７Ｂとを有する。支持本体部６７Ａ及びガイド部６７Ｂは、合成樹脂によって一体に成形されている。
【００５７】
支持本体部６７Ａは、概ね、前後方向６及び幅方向８に広がる板状である。ガイド部６７Ｂは、図５に示されるように、支持本体部６７Ａにおける第１向き４８の端部６７Ｃ（以下、「第１端部６７Ｃ」とする）に連続して設けられている。図６に示されるように、第２ガイド部材６７Ｂは、第１筐体６０における背面開口部６０Ｅの下部において、背面開口部６０Ｅの幅方向８の全域に亘って配置されている。
【００５８】
図５に示されるように、第１端部６７Ｃは、第１ガイド部材６４の下端６４Ｋのほぼ直下に配置されている。第１端部６７Ｃは、上下方向４及び幅方向８に沿った帯板状であり、上下方向４に沿った長さは、幅方向８に沿った長さに比べて短い。
【００５９】
支持本体部６７Ａには、第１給送部６３における給送位置６１Ｃの下方で第１向き４８の後方から第１端部６７Ｃにかけて、上方に突出した突部６７Ｎが幅方向８に沿って設けられている。突部６７Ｎは、背面開口部６０Ｅの幅方向８の全域に亘って配置されている。突部６７Ｎの上面は、概ね、前後方向６及び幅方向８に沿った平面であり、この上面に、第１ガイド部材６４の下端６４Ｋが支持されている。
【００６０】
第１端部６７Ｃは、突部６７Ｎにおける第１向き４８の端部から下方に向かって延出されている。第１端部６７Ｃの下端は、支持本体部６７Ａにおける突部６７Ｎ以外の板状部分とほぼ同じ上下方向４の位置にある。
【００６１】
ガイド部６７Ｂは、第１端部６７Ｃの下端に連続して設けられた第１傾斜部６７Ｇと、第１傾斜部６７Ｇに連続して設けられた第２傾斜部６７Ｈと、第２傾斜部６７Ｈに連続して設けられた第２端部６７Ｋとを有する。第２端部６７Ｋは、支持部材６７における第１向き４８の端部を構成する。
【００６２】
第１傾斜部６７Ｇは、第１端部６７Ｃから第１向き４８に離れるにつれて上方に位置するように上下方向４に対して傾斜している。第２傾斜部６７Ｈは、第１傾斜部６７Ｇから第１向き４８に離れるにつれて上方に位置するように、上下方向４に対して傾斜している。したがって、第２傾斜面６７Ｈの上下方向４に対する傾斜角度は、第１傾斜部６７Ｇよりも小さい。第２端部６７Ｋは、上下方向４に沿っている。
【００６３】
ガイド部６７Ｂにおける第２端部６７Ｋの背面６７Ｍは、第２搬送路５２の前方の一部を区画している。第２傾斜部６７Ｈ及び第１傾斜部６７Ｇは、第２端部６７Ｋに対して第２搬送路５２の搬送向き４１の上流に位置している。第２傾斜部６７Ｈ及び第１傾斜部６７Ｇのそれぞれの背面６７Ｐ及び６７Ｑは、第２搬送路５２の前方の一部を区画する第３ガイド面６７Ｄを構成している。第３ガイド面６７Ｄは、上端が下端よりも第１向き４８に位置するように傾斜している。
【００６４】
図７に示されるように、ガイド部６７Ｂには、幅方向８の両端に対して幅方向８の中央寄りの位置に、凹部６７Ｒがそれぞれ設けられている。各凹部６７Ｒは、ガイド部６７Ｂの上面から、第２端部６７Ｋ及び第２傾斜部６７Ｈを通って、第１傾斜部６７Ｇの上部に達している。
【００６５】
図８に示されるように、各凹部６７Ｒの前方には、第１ガイド部材６４を支持する第１ガイド支持部材６７Ｅが設けられている。第１ガイド支持部材６７Ｅは、支持本体部６７Ａから上方に突出している。第１ガイド支持部材６７Ｅの上部は、上端が下端よりも後方に位置するように傾斜した傾斜部６７Ｘになっており、傾斜部６７Ｘに、第１ガイド部材６４が支持される。
【００６６】
図８に示されるように、各支持本体部６７Ａには、各第１ガイド支持部材６７Ｅに対して幅方向８におけるそれぞれの外側に第２ガイド支持部材６７Ｚが設けられたている。第２ガイド支持部材６７Ｚは、第１ガイド支持部材６７Ｅの上部と同様の傾斜状態になっており、下端が、支持本体部６７Ａ上に位置している。第１ガイド部材６４は、第２ガイド支持部材６７Ｚの上部に支持される。
【００６７】
[フレーム６８]
図５に示されるように、支持部材６７には、金属製のフレーム６８が取り付けられている。フレーム６８は１枚の金属板が板金加工されることにより製造される。フレーム６８は、支持部材６７における支持本体部６７Ａの後端部の下方に配置されたフレーム本体部６８Ｄを有する。
【００６８】
フレーム本体部６８Ｄは、給送位置６１Ｃの直下に位置する第１フレーム部６８Ａを有する。また、フレーム６８は、支持部材６７におけるガイド部６７Ｂの下方に配置された第２フレーム部６８Ｂを有する。
【００６９】
フレーム本体部６８Ｄは、概ね、支持部材６７における支持本体部６７Ａに沿った板状であり、支持本体部６７Ａに対してネジ（図示されず）によって取り付けられている。第２フレーム部６８Ｂは、フレーム本体部６８Ｄの第１向き４８に連続して設けられており、背面開口部６０Ｅの幅方向８のほぼ全域に亘って配置されている。フレーム本体部６８Ｄには、支持本体部６７Ａに設けられた突部６７Ｎの下方に、幅方向８に沿った第１フレーム部６８Ａが設けられている。第１フレーム部６８Ａは、第１給送部６３における給送位置６１Ｃの直下に位置している。第１フレーム部６８Ａは、支持本体部６７Ａにおける第１給送トレイ６１を支持する部分とほぼ同じ上下方向４の位置にある。
【００７０】
第２フレーム部６８Ｂは、フレーム本体部６８Ｄにおける第１向き４８の端部に連続して設けられており、背面開口部６０Ｅにおける幅方向８のほぼ全域に亘って配置されている。第２フレーム部６８Ｂは、支持部材６７のガイド部６７Ｂと同様の傾斜状態になるように、第１向き４８の上方に向かって傾斜している。第２フレーム部６８Ｂの上部は、ガイド部６７Ｂの第１傾斜部６７Ｇにおける背面６７Ｑに沿っている。第２フレーム部６８Ｂの上端には、第１傾斜部６７Ｇの背面６７Ｑに向かって突出する突起部６８Ｅが、背面開口部６０Ｅにおける幅方向８のほぼ全域に亘って設けられている。この突起部６８Ｅは、第１傾斜部６７Ｇの背面６７Ｑにおける上下方向４の中程に当接している。
【００７１】
図５に示されるように、フレーム６８における第２フレーム部６８Ｂが設けられた端部とは反対の端部に、幅方向８に沿った第３フレーム部６８Ｃが設けられている。第３フレーム部６８Ｃは、フレーム本体部６８Ｄにおける幅方向８の全域に亘る長さを有する。第３フレーム部６８Ｃは、フレーム本体部６８Ｄにおける第１向き４８とは反対の端部から上方に向かって屈曲されており、支持部材６７における支持本体部６７Ａの下面に当接している。
【００７２】
図５に示されるように、フレーム本体部６８Ｄにおける第１向き４８の端部には、第３ガイド部材６９が取り付けられている。なお、第３ガイド部材６９は、図６及び図７においては示されていない。
【００７３】
第３ガイド部材６９は、フレーム本体部６８Ｄにおける第１フレーム部６８Ａと、第２フレーム部６８Ｂとの間の下面に当接する帯板状の本体部６９Ａを有する。本体部６９Ａは、背面開口部６０Ｅにおける幅方向８のほぼ全域に亘って設けられている。本体部６９Ａにおける第１向き４８の側縁には、傾斜部６９Ｂが連続して設けられている。傾斜部６９Ｂは、第１向き４８の端部が上方に位置するように傾斜している。傾斜部６９Ｂは、背面開口部６０Ｅにおける幅方向８の全域に亘って配置されている。傾斜部６９Ｂは、第１向き４８に間隔を空けた状態で、第２フレーム部６８Ｂに沿って配置されている。
【００７４】
本体部６９Ａにおける第１向き４８とは反対の端部には、下方に延出した壁部６９Ｃが幅方向８に沿って設けられている。壁部６９Ｃ及び突出部６９Ｄも、背面開口部６０Ｅにおける幅方向８の全域に亘って配置されている。
【００７５】
第３ガイド部材６９には、前後方向６に沿って下方に突出する複数のガイドリブ６９Ｅが設けられている。各ガイドリブ６９Ｅは、前後方向６に沿った板状であり、隣り合うガイドリブ６９Ｅ同士が幅方向８に間隔をあけた状態で、背面開口部６０Ｅの幅方向８のほぼ全域に亘って配置されている。各ガイドリブ６９Ｅの先端６９Ｆは、傾斜部６９Ｂにおける第１向き４８の先端から壁部６９Ｃの下方に突出した先端に亘って、円弧状に突出している。第２搬送路５２を搬送される記録紙１２は、ガイドリブ６９Ｅの先端６９Ｆに案内されて、支持部材６７における第３ガイド面６７Ｄへ搬送される。
【００７６】
［第２筐体７０］
図４に示されるように、第２筐体７０は、第１筐体６０とは、第３ガイド部材６９に対応する部材が設けられていないこと以外、第１筐体６０と概ね同様の構成である。第２筐体７０は、第２給送トレイ７１の下方に支持部材７７及び金属製のフレーム７８が設けられている。第２筐体７０の支持部材７７及びフレーム７８は、第１筐体６０の支持部材６７及びフレーム６８と概ね同様の構成である。
【００７７】
［実施形態の作用効果］
本実施形態の複合機１０において、第１給送トレイ６１から記録紙１２を給送する場合には、第１給送部６３の第１給送ローラ６３Ａが、第１給送トレイ６１内における最上位置の記録紙１２に押圧される。これにより、給送位置６１Ｃの直下の第１支持面６１Ａに押圧力が作用する。その結果、支持部材６７における給送位置６１Ｃの直下の突部６７Ｎにも押圧力が作用する。
【００７８】
この場合、支持部材６７における突部６７Ｎの下方に、フレーム６８の第１フレーム部６８Ａが設けられているために、支持部材６７は、第１フレーム部６８Ａによって補強される。これにより、給送位置６１Ｃの直下に位置する支持部材６７の突部６７Ｎが安定的に支持される。その結果、支持部材６７を厚くする必要がない。
【００７９】
第１給送ローラ６３Ａによって第１向き４８へ給送される記録紙１２は、第１ガイド部材６４に当接して第１ガイド面６４Ａに案内される。このために、第１ガイド部材６４には、記録紙１２が当接することにより第１向き４８への押圧力が加わる。第１ガイド部材６４は、支持部材６７のガイド部６７Ｂによって支持されているために、ガイド部６７Ｂにも第１向き４８への押圧力が加わる。
【００８０】
この場合、ガイド部６７Ｂの下部が第２フレーム部６８Ｂによって補強されることから、第２フレーム部６８Ｂによって第１ガイド部材６４が安定的に支持される。これによっても、支持部材６７におけるガイド部６７Ｂを補強するために、支持部材６７を厚くする必要がない。
【００８１】
以上のことにより、装置が大型化することが抑制される。しかも、第１搬送路５１及び第２搬送路５２が長くなることも抑制されるために、第１搬送路５１及び第２搬送路５２のそれぞれにおける記録紙１２の搬送時間が長くなるおそれがない。この場合には、記録紙１２の搬送速度を速くする必要がないために、搬送速度が速くなることによって生じる大きな騒音は発生しない。
【００８２】
第１フレーム部６８Ａは、支持部材６７の下面に沿って設けられており、第１フレーム部６８Ａの第１向き４８における端部から第２フレーム部６８Ｂが屈曲して設けられている。これにより、支持部材６７における給送位置６１Ｃに対応する部分及びガイド部６７Ｂを、確実に補強することができる。
【００８３】
第１ガイド部材６４の第１ガイド面６４Ａ、第２ガイド部材７４の第２ガイド面７４Ａ、及び支持部材６７の第３ガイド面６７Ｄは、各上端が各下端より第１向き４８且つ上方に位置する傾斜面である。これにより、装置が第１向き４８に広がることが抑制される。
【００８４】
第１ガイド部材６４の第１ガイド面６４Ａ及び第２ガイド部材７４の第２ガイド面７４Ａのそれぞれが、第１向き４８に対してなす鋭角である傾斜角度が等しい。これによっても装置が第１向き４８に広がることを抑制できる。
【００８５】
第１ガイド部材６４の上端と、上記第２ガイド部材７４の上端とが、第１向き４８において同じ位置である。これによっても、装置が第１向き４８に広がることを抑制できる。
【００８６】
フレーム６８における第１向き４８の端部に、第２フレーム部６８Ｂが設けられており、フレーム６８は、第１フレーム部６８Ａにおける第２フレーム部６８Ｂが設けられる端部とは反対の端部に位置する第３フレーム部６８Ｃを有する。第３フレーム部６８Ｃは、第１フレーム部６８Ａに対して上方に屈曲した状態である。これにより、第３フレーム部６８Ｃによって支持部材６７がさらに補強される。その結果、支持部材６７をさらに薄くすることができ、装置の大型化をさらに抑制できる。
【００８７】
第２フレーム部６８Ｂの上端は、第１ガイド部材６４の下端よりも上方に位置する。これにより、装置が上下方向４に大きくなることが抑制される。
【００８８】
第２搬送路５２を搬送される記録紙１２を案内する第３ガイド部材６９がフレームに取り付けられている。これにより、第３ガイド部材６９によって、記録紙１２は、第２搬送路５２を安定的に搬送される。
【００８９】
なお、上記実施形態では、給送位置６１Ｃは、図２において第１給送部６３の第１給送ローラ６３Ａによる記録紙１２が給送される位置、すなわち、第１給紙ローラ６３Ａの直下の位置である。しかしながら、第１給送ローラ６３Ａの第１向き４８に沿った位置は、第１支持アーム６３Ｂの回動状態によって変化する。すなわち、第１給送ローラ６３Ａの第１向き４８に沿った位置は、第１給送トレイ６１内に積載された記録紙１２の枚数によって変化する。このため、給送位置６１Ｃも、第１向き４８に沿って変化する。このことから、給送位置６１Ｃは、第１向き４８に沿って所定の長さを有する。従って、フレーム６８の第１フレーム部６８Ａは、給送位置６１Ｃが変化する範囲の全ての直下に位置することが最適であるが、少なくとも当該範囲のうち一部の直下に設けられていてもよい。また、当該範囲のうち一部の直下に第１フレーム部６８Ａが設けられる場合には、支持部材６７に第１給送ローラ６３Ａによる給送圧が負荷として最も大きくかかる位置にあることが好ましい。
【００９０】
［変形例］
第１フレーム部６８Ａは、第１給送部６３における給送位置６１Ｃの直下に位置する構成に限らず、給送位置６１Ｃの直下に対して第１向き４８において同じ位置に設ける構成であってもよい。この場合にも、支持部材６７における給送位置６１Ｃの直下の位置に対する押圧力が加わっても、給紙位置の直下の位置に対して第１向きに対して直交する位置に設けられた第１フレーム部６８Ａによって補強される。
【００９１】
また、第２フレーム部６８Ｂの上端は、第１ガイド部材６４の下端よりも上方に位置する構成としてもよい。これにより、装置が上下方向４に広がることが抑制される。
【符号の説明】
【００９２】
１０・・・・複合機（画像記録装置）
１２・・・・記録紙（シート）
５１・・・・第１搬送路
５２・・・・第２搬送路
６０・・・・第１筐体（筐体）
６１・・・・第１給送トレイ
６１Ａ・・・第１支持面
６１Ｃ・・・給送位置
６３・・・・第１給送部
６３Ａ・・・第１給送ローラ
６４・・・・第１ガイド部材
６７・・・・支持部材
６７Ｂ・・・ガイド部
６７Ｄ・・・第３ガイド面
６８・・・・フレーム
６８Ａ・・・第１フレーム部
６８Ｂ・・・第２フレーム部
６８Ｃ・・・第３フレーム部
６９・・・・第３ガイド部材
７１・・・・第２給送トレイ
７１Ａ・・・第２支持面
７３・・・・第２給送部
７３Ａ・・・第２給送ローラ
７４・・・・第２ガイド部材
７４Ａ・・・第２ガイド面
【図１】
0006686476.tif 000002
【図２】
0006686476.tif 000003
【図３】
0006686476.tif 000004
【図４】
0006686476.tif 000005
【図５】
0006686476.tif 000006
【図６】
0006686476.tif 000007
【図７】
0006686476.tif 000008
【図８】
0006686476.tif 000009